(57)【特許請求の範囲】
【請求項１】
周方向の一箇所に分割部が形成されたロックリングを管の内部に装着するための装着具であって、
支点を中心にして一対のアームが旋回可能な鋏形に形成され、
各アームはそれぞれ本体部と交差部とを有し、
両アームの交差部が本体部よりも支点から遠い位置において互いに交差するように配置されて、両アームの旋回により本体部と交差部との一方が開動するときに他方が閉動するように構成され、
本体部と交差部とのいずれか一方に、前記ロックリングの分割部を構成する部材端部に係合可能であるとともに、その係合状態で前記一対のアームが旋回したときに前記部材端部どうしを接近させてロックリングを縮径させる縮径用係合部を設け、
本体部と交差部とのいずれか他方に、前記ロックリングの分割部を構成する部材端部に係合可能であるとともに、その係合状態で前記一対のアームが前記ロックリングを縮径させる場合と同じ方向に旋回したときに、前記部材端部どうしを互いに周方向に押し広げてロックリングを拡径させる拡径用係合部を設けたことを特徴とする管内へのロックリング装着具。
【発明の詳細な説明】
【技術分野】
【０００１】
本発明は管内へのロックリング装着具に関する。
【背景技術】
【０００２】
水道管などの用途に供される管として、互いに接合される一方の管の端部に形成された受口の内部に、他方の管の端部に形成された挿口が挿入され、受口の内周と挿口の外周との間で環状のシール材を圧縮するように構成され、受口の内周に装着されたロックリングに挿口の外周に形成された突部が受口の奥側から当たることで、受口からの挿口の離脱を防止するように構成した管継手を有するものが知られている（特許文献１）。
【０００３】
図８は、このような管継手を構成する受口へロックリングを装着するときの様子を示すものである。すなわち、１１はダクタイル鋳鉄製の管で、その一端には受口１２が形成されている。受口１２の内周には、ロックリング収容溝１３が環状に形成されている。ロックリング収容溝１３には、金属製のロックリング１４と、このロックリング１４を受口１２に対して同心状に保持するために、ロックリング１４の外周面と収容溝１３の内周面との間に挟みこまれたゴム製の心出しリング１５とが収容されている。
【０００４】
ロックリング１４は、図９に示すように周方向の一箇所に分割部１６が形成された、いわゆる周方向一つ割りの構成とされている。１７、１７は、分割部１６を構成する一対の部材両端部である。部材両端部１７、１７には、それぞれ、ロックリング１４を収容溝１３に収容したときに受口１２の開口の方を向く凹部１８、１８が形成されている。ロックリング１４の周方向に沿った適当位置には、径方向の内向きに開口した肉盗み部１９が形成されている。肉盗み部１９が形成された部分においては、それに対応した薄肉部２０が形成されている。
【０００５】
このような構成のロックリング１４を受口１２の収容溝１３に収容させるときには、この収容溝１３にあらかじめ心出しリング１５をはめ込んでおいた状態で、図９に示す自然な状態のロックリング１４の分割部１６を周方向に詰めることで、図８において仮想線で示すようにこのロックリング１４を縮径させ、そのうえでこの縮径状態のロックリング１４を受口１２の内部に挿入する。挿入したロックリング１４が収容溝１３の位置に到達したなら、その縮径状態を解除する。すると、ロックリング１４はその弾性力によって元の大きさに拡径し、収容溝１３の中にはまり込む。その後、ロックリング１４を受口１２に対して確実に心出しさせるために、分割部１６を周方向に広げることで、このロックリング１４を拡径させる。
【０００６】
図１０は、ロックリング１４を、自然な状態から分割部１６を周方向に詰めることによって縮径させるときの様子を示す。また図１１は、分割部１６を周方向に広げてロックリング１４を拡径させるときの様子を示す。ロックリング１４は、肉盗み部１９が形成されていることによって、それに対応した薄肉部２０を有しているため、その縮径や拡径を円滑に行うことができる。
【０００７】
従来、ロックリング１４の縮径には、図１２に示すような縮径具が用いられている。この縮径具は鋏形に形成されて、支点２１を中心として揺動可能な一対のアーム２２Ａ、２２Ｂを有している。一方のアーム２２Ａは、第１の作動部２３Ａと第１の被動駆部と２４Ａとを有し、他方のアーム２２Ｂは、第２の作動部２３Ｂと第２の被駆動部２４Ｂとを有している。すなわち、一対のアーム２２Ａ、２２Ｂは、支点２１を中心とした点対称な状態で設けられかつ動作するように構成されている。第１および第２の作動部２３Ａ、２３Ｂの先端には、それぞれ縮径爪２５、２５が設けられている。そして、図１２（ａ）に示すように第１および第２の作動部２３Ａ、２３Ｂが互いに開いておりかつ第１および第２の被駆動部２４Ａ、２４Ｂが互いに開いている状態から、エア圧などによって第１および第２の被駆動部２４Ａ、２４Ｂを支点２１のまわりに互いに閉じる方向に旋回させると、同図（ｂ）に示すように第１および第２の作動部２３Ａ、２３Ｂも支点２１のまわりに互いに閉じる方向に旋回する。
【０００８】
したがって、図１２（ａ）に示す開いた状態の縮径具の爪２５、２５を、図１０（ａ）に示す自然な状態のロックリング１４の凹部１８、１８にそれぞれはめ込んだうえで、図１２（ｂ）に示すように第１および第２の被駆動部２４Ａ、２４Ｂを支点２１のまわりに閉じる方向に旋回させると、それにより第１および第２の作動部２３Ａ、２３Ｂも閉じる方向に旋回して、図１０（ｂ）に示すようにロックリング１４を縮径させ、かつその縮径状態に保持することができる。
【０００９】
そこで、この縮径状態のロックリング１４を縮径具とともに図８に示す受口１２の内部に挿入し、収容溝１３の位置で第１および第２の被駆動部２４Ａ、２４Ｂに作用している力を解放すると、ロックリング１４は弾性により拡径して収容溝１３の内部にはまり込む。その後は、縮径爪２５、２５をロックリング１４の凹部１８、１８から抜き出して、縮径具を受口１２の外に取り出す。
【００１０】
また従来、上述のようにして収容溝１３にはめ込んだロックリングの拡径には、図１３に示すような拡径具が用いられている。この拡径具は、上述の縮径具と同様に鋏形に形成されているが、その構造および動作は相違する。すなわち、図示の拡径具は、支点２６を中心として揺動可能な一対のアーム２７Ａ、２７Ｂを有している。一方のアーム２７Ａは第１の作動部２８Ａと第１の被駆動部２９Ａとを有し、他方のアーム２７Ｂは第２の作動部２８Ｂと第２の被駆動部２９Ｂとを有している。すなわち、一対のアーム２７Ａ、２７Ｂは、支点２６を中心とした線対称な状態で設けられかつ動作するように構成されている。第１および第２の作動部２８Ａ、２８Ｂの先端には、それぞれ拡径爪３０、３０が設けられている。そして、図１３（ａ）に示すように第１および第２の作動部２８Ａ、２８Ｂが互いに閉じており、かつ第１および第２の被駆動部２９Ａ、２９Ｂが互いに開いている状態から、エア圧などによって第１および第２の被駆動部２９Ａ、２９Ｂを支点２６のまわりに互いに閉じる方向に旋回させると、同図（ｂ）に示すように第１および第２の作動部２８Ａ、２８Ｂは支点２６のまわりに互いに開く方向に旋回する。
【００１１】
したがって、図１３（ａ）に示す閉じた状態の拡径具を図８に示す管１１の受口１２の内部に挿入し、その爪３０、３０を図１１（ａ）に示す収容溝にはめ込まれた状態のロックリングの分割部１６にはめ込んだうえで、図１３（ｂ）に示すように第１および第２の被駆動部２９Ａ、２９Ｂを支点２６のまわりに閉じる方向に旋回させると、それにより第１および第２の作動部２８Ａ、２８Ｂは開く方向に旋回し、図１１（ｂ）に示すように部材両端部１７、１７を周方向に押圧してロックリング１４を拡径させ、それによってロックリング１４の心出しを確実に行うことができる。
【００１２】
ロックリング１４を拡径させたなら、再び第１および第２の作動部２８Ａ、２８Ｂを閉じる方向に旋回させてロックリング１４の部材両端部１７、１７から離し、その状態の拡径具を受口１２の外側へ取り出す。
【特許文献１】実開平４−９０７９０号
【発明の開示】
【発明が解決しようとする課題】
【００１３】
このように、従来においては、図１２に示すロックリング縮径具を用いて、図８に示す受口１２の収容溝１３にロックリング１４を装着した後、図１３に示すロックリング拡径具に取り替えて、ロックリング１４の分割部１６の拡径作業を行っている。このため、工具の取り替えのための作業工数が必要になるという課題がある。この作業工数には、作業者が工具を取りに行く工数や、被駆動部２４Ａ、２４Ｂ、２９Ａ、２９Ｂを保持して駆動力を作用させるアクチュエータへの工具の着脱のための工数などが含まれる。
【００１４】
なお、アクチュエータが被駆動部２４Ａ、２４Ｂ、２９Ａ、２９Ｂを上述のように互いに閉じる方向に旋回駆動させるだけでなく、これらを開く方向にも旋回駆動させるものであれば、一つの工具を縮径用と拡径用とに兼用することができるが、その場合はアクチュエータの構造がきわめて複雑になるという別の課題が発生する。
【００１５】
そこで本発明は、一方向に駆動力が作用される一つの工具だけでロックリングの縮径と拡径とをともに行えるようにすることを目的とする。
【課題を解決するための手段】
【００１６】
この目的を達成するため本発明は、周方向の一箇所に分割部が形成されたロックリングを管の内部に装着するための装着具において、支点を中心にして一対のアームが旋回可能な鋏形に形成され、各アームはそれぞれ本体部と交差部とを有し、両アームの交差部が本体部よりも支点から遠い位置において互いに交差するように配置されて、両アームの旋回により本体部と交差部との一方が開動するときに他方が閉動するように構成され、本体部と交差部とのいずれか一方に、前記ロックリングの分割部を構成する部材端部に係合可能であるとともに、その係合状態で前記一対のアームが旋回したときに前記部材端部どうしを接近させてロックリングを縮径させる縮径用係合部を設け、本体部と交差部とのいずれか他方に、前記ロックリングの分割部を構成する部材端部に係合可能であるとともに、その係合状態で前記一対のアームが前記ロックリングを縮径させる場合と同じ方向に旋回したときに、前記部材端部どうしを互いに周方向に押し広げてロックリングを拡径させる拡径用係合部を設けたものである。
【発明の効果】
【００１７】
本発明によれば、一対のアームが本体部と交差部とを有し、両アームの旋回により本体部と交差部との一方が開動するときに他方が閉動するようにし、本体部と交差部のいずれか一方に縮径用係合部を設けるとともに、他方に拡径用係合部を設けたため、一対のアームの開方向または閉方向への一方向の動作だけで、ロックリングの縮径と拡径とを行う機能を兼備することができる。このため、一方向に駆動力が作用される一つの工具だけで、ロックリングの縮径と拡径とをともに行うことができる。
【発明を実施するための最良の形態】
【００１８】
図１〜図３は、本発明の実施の形態の管内へのロックリング装着具を示す。この装着具４０は、支点４１を中心にして旋回揺動可能な一対の第１および第２のアーム４２Ａ、４２Ｂを有して、鋏形に形成されている。第１のアーム４２Ａは、第１の作動部４３Ａと第１の被駆動部４４Ａとを有し、第２のアーム４２Ｂは、第２の作動部４３Ｂと第２の被駆動部４４Ｂとを有している。すなわち、一対のアーム４２Ａ、４２Ｂは、支点４１を中心とした点対称な状態で設けられかつ動作するように構成されている。
【００１９】
第１のアーム４２Ａの第１の作動部４３Ａは、支点４１に近いアーム基端側の位置に設けられた本体部４５Ａと、この本体部４５Ａよりもアーム先端側の位置に設けられた交差部４６Ａとを有している。同様に、第２のアーム４２Ｂの第２の作動部４３Ｂは、支点４１に近いアーム基端側の位置に設けられた本体部４５Ｂと、この本体部４５Ｂよりもアーム先端側の位置に設けられた交差部４６Ｂとを有している。
【００２０】
第１のアーム４２Ａの交差部４６Ａは、第１の作動部４３Ａの本体部４５Ａの先端における第１のアーム４２Ａの旋回方向に平行な一方の面４８から、この第１のアーム４２Ａの旋回揺動方向に沿って、第２のアーム４２Ｂの第２の作動部４３Ｂが位置する方へ延びるように形成された、第１の延出部４９を有している。すなわち、第１の延出部４９は、その基端側の部分が本体部４５Ａの先端において面４８に接続されているとともに、その先端側の部分が、本体部４５Ａから、第２のアーム４２Ｂの第２の作動部４３Ｂが位置する方へ延びるように形成されている。また第１の延出部４９の先端には、支点４１から遠ざかる方向に延びるように形成された第１の突出部５０が設けられている。
【００２１】
第２のアーム４２Ｂの交差部４６Ｂは、第２の作動部４３Ｂの本体部４５Ｂの先端から、第１の作動部４３Ａの本体部４５Ａよりも長くなるように一体に形成された延長部５１と、この延長部５１の端面５２から、第２のアーム４２Ｂの旋回揺動方向に沿って、第１のアーム４２Ａが位置する方へ延びるように形成された、第２の延出部５３と、第２の延出部５３の先端の位置から、第２のアーム４２Ｂの旋回揺動方向に対し垂直な方向に延びるように形成された、第２の突出部５４とを有している。
【００２２】
第１および第２のアーム４２Ａ、４２Ｂの交差部４６Ａ、４６Ｂは、互いに交差した状態で配置され、図２および図３に示すように第１および第２のアーム４２Ａ、４２Ｂが互いに開方向に旋回動作するときには、第１の突出部５０と第２の突出部５４とが互いに閉動作するように構成され、かつ第１および第２のアーム４２Ａ、４２Ｂが互いに閉動作するときに第１の突出部５０と第２の突出部５４とが互いに開方向に旋回動作するように構成されている。
【００２３】
第１の突出部５０の先端と、第２の突出部５４の先端とには、それぞれ縮径用爪部５５、５５が設けられている。これら縮径用爪部５５、５５は、交差部４６Ａ、４６Ｂが上述の構成であることにより、互いに揃った位置に配置されているとともに、第１および第２の突出部５０、５４と一緒に開閉動作するように構成されている。
【００２４】
第１のアーム４２Ａの本体部４５Ａの先端側における、面４８とは反対側の面５８Ａ、および第２のアーム４２Ｂの本体部４５Ｂの先端側における、面５８Ａと同じ側の面５８Ｂには、それぞれ拡径用爪部５９が設けられている。
【００２５】
つまり、縮径用爪部５５は、第１のアーム４２Ａにおける一方の面４８の側に設けられており、これに対し拡径用爪部５９、５９は、第１および第２のアーム４２Ａ、４２Ｂにおける、面４８とは反対側の面５８Ａ、５８Ｂの側に設けられている。
【００２６】
拡径用爪部５９、５９は、第１および第２のアーム４２Ａ、４２Ｂの開閉旋回動作に対応して、同様に、互いに開閉動作することになる。
【００２７】
装着具４０は、図１に示す第１および第２の被駆動部４４Ａ、４４Ｂを、図２および図３に示すようにアクチュエータ６０に収容した状態で用いられる。アクチュエータ６０は、エア圧などによって、第１および第２の被駆動部４４Ａ、４４Ｂどうしが支点４１を中心として互いに閉動方向に旋回するように、これら第１および第２の被駆動部４４Ａ、４４Ｂに駆動力を付与可能とされている。
【００２８】
このような構成において、ロックリングを受口の収容溝に装着する際には、図４に示すように、装着具４０のアーム４２Ａ、４２Ｂをロックリング１４の軸心の方向に移動させてこのロックリング１４に接近させ、その縮径用爪部５５、５５をロックリング１４の凹部１８、１８にはめ込む。第１および第２のアーム４２Ａ、４２Ｂにおける第１および第２の突出部５０、５４には、このように縮径用爪部５５、５５がロックリング１４の凹部１８、１８にはまり込んだときにロックリング１４の内周面６１に沿うことができる傾斜面６２、６２がそれぞれ形成されている。よって、縮径用爪部５５、５５をロックリング１４の凹部１８、１８に安定な状態ではめ込むことができる。
【００２９】
次に、アクチュエータ６０を作動させて、第１および第２のアーム４２Ａ、４２Ｂを互いに開く方向に旋回駆動させる。すると、上述のように縮径用爪部５５、５５は互いに閉じる方向に移動し、図５に示すようにロックリング１４の分割部１６を詰めてこのロックリング１４を弾性的に縮径させる。
【００３０】
これにより、ロックリング１４は縮径状態で装着具４０に保持されるため、図６に示すようにこの状態のロックリング１４を装着具４０の先端部とともに管１１の受口１２の内部に挿入する。そして、ロックリング収容溝の位置でアクチュエータ６０による作動力を解除させることで、ロックリング１４は弾性力によって元の状態に拡径し、収容溝にはまり込む。このとき、縮径用爪５５、５５が凹部１８、１８から外れるため、装着具４０を受口１２の外に取り出す。
【００３１】
次に、装着具４０を反転させて、図７に示すように、拡径用爪具５９、５９をロックリング１４の分割部１６にはめ込む。そして、再びアクチュエータ６０を作動させて、第１および第２のアーム４２Ａ、４２Ｂの第１および第２の作動部４３Ａ、４３Ｂを互いに開く方向に旋回駆動させることで、拡径用爪具５９、５９も互いに開動し、それによって分割部１６を周方向に広げるようにしてロックリング１４を拡径させ、このロックリングの心出しを確実に行わせる。
【００３２】
このように、縮径用爪部５５、５５と拡径用爪部５９、５９とは、いずれもアクチュエータ６０によって装着具４０の第１および第２の作動部４３Ａ、４３Ｂを互いに開く方向に旋回駆動させることで所定の機能を果たすことができ、このように一方向に駆動力が作用される一つの装着具４０を反転して用いるだけで、ロックリング１４の縮径と拡径とをともに行うことができる。
【００３３】
上記においてはアーム４２Ａ、４２Ｂの交差部４６Ａ、４６Ｂに縮径用爪部５５、５５を設けるとともに、その本体部４５Ａ、４５Ｂに拡径用爪部５９、５９を設けたものについて説明したが、その逆に、交差部４６Ａ、４６Ｂに拡径用爪部５９、５９を設けるとともに、本体部４５Ａ、４５Ｂに縮径用爪部５５、５５を設けたものであってもよい。また第１および第２の被駆動部４４Ａ、４４Ｂが閉動するときに第１および第２の作動部４３Ａ、４３Ｂが開動するものについて説明したが、第１および第２の被駆動部４４Ａ、４４Ｂが閉動するときに第１および第２の作動部４３Ａ、４３Ｂも閉動するものであってもよい。
【図面の簡単な説明】
【００３４】
【図１】本発明の実施の形態の管内へのロックリング装着具を示す図である。
【図２】図１の装着具にアクチュエータを取り付けた状態を示す要部の斜視図である。
【図３】図２に示す状態から第１および第２のアームが旋回開動した様子を示す斜視図である。
【図４】同装着具を用いてロックリングを縮径する様子を示す図である。
【図５】同装着具によってロックリングを縮径状態で保持した様子を示す斜視図である。
【図６】同縮径状態のロックリングを管の受口の内部に挿入する様子を示す斜視図である。
【図７】同装着具を用いてロックリングを拡径する様子を示す図である。
【図８】ロックリングを管の受口の内部に装着する様子を示す図である。
【図９】図８におけるロックリングの斜視図である。
【図１０】図９のロックリングを縮径させる様子を示す図である。
【図１１】図９のロックリングを拡径させる様子を示す図である。
【図１２】従来のロックリング縮径具を示す図である。
【図１３】従来のロックリング拡径具を示す図である。
【符号の説明】
【００３５】
１４    ロックリング
１６    分割部
１７    部材両端部
１８    凹部
４１    支点
４２Ａ  第１のアーム
４２Ｂ  第２のアーム
４５Ａ  本体部
４５Ｂ  本体部
４６Ａ  交差部
４６Ｂ  交差部
５５    縮径用爪部
５９    拡径用爪部
【図１】
0005008482.tif 000002
【図２】
0005008482.tif 000003
【図３】
0005008482.tif 000004
【図４】
0005008482.tif 000005
【図５】
0005008482.tif 000006
【図６】
0005008482.tif 000007
【図７】
0005008482.tif 000008
【図８】
0005008482.tif 000009
【図９】
0005008482.tif 000010
【図１０】
0005008482.tif 000011
【図１１】
0005008482.tif 000012
【図１２】
0005008482.tif 000013
【図１３】
0005008482.tif 000014